(57)【要約】【課題】赤ちゃんの傍で添え寝しながらお母さんも起き上がることなく、横を向くだけで赤ちゃんの様子を見ることができ、かつ、寝かされた赤ちゃんが快適に過ごすことができる快適空間も確保できるベビーフロアーガードを提供することにある。【解決手段】左右の側枠２，３と後枠４からなる三方囲い枠８と、この三方囲い枠８の上から被せて三方囲い枠８内の内部空間を覆うカバー６と、を備えてなることを特徴とするベビーフロアーガードである。【選択図】  図１
2006087780.tif 000002
【特許請求の範囲】
【請求項１】
左右の側枠と後枠からなる三方囲い枠と、この三方囲い枠の上から被せて三方囲い枠内の内部空間を覆うカバーと、を備えてなることを特徴とするベビーフロアーガード。
【請求項２】
対峙する左右の側枠の前側の上部に、カバー支持用の補助杆を架け渡して取り付けたことを特徴とする請求項１記載のベビーフロアーガード。
【発明の詳細な説明】
【技術分野】
【０００１】
本発明は、板の間や、畳みの間等の床の上に、赤ちゃんを寝かせておくのに使用するベビーフロアーガード（カバー付き囲い）に関するものである。
【背景技術】
【０００２】
一般に赤ちゃんを寝かせておくものとしてはベビーベッドがある。この従来から知られている一般的なベビーベッドは、長方形状の囲繞枠の中間部にマット等を有する床部材を取り付けた構造のものであり、赤ちゃんを床部材の上に寝かせて使用している。
【０００３】
しかしながら、上記のようなベビーベッドでは、赤ちゃんを寝かせてある床部材の高さ位置が、床や畳みの上面から数十ｃｍ位の高さ位置である。そのため、ベビーベッドの傍の床や畳みの上で添え寝しているお母さんが、赤ちゃんの様子を見ようとした場合、その都度起き上がって囲繞枠越しに或いは囲繞枠の隙間からベッド内を覗き込まなければ、赤ちゃんの様子を見ることができなかった。
【０００４】
このことは赤ちゃんの世話や家事で忙しいお母さんにとって、ひと時の間赤ちゃんに添え寝して身体を休めたいと思っても、赤ちゃんの様子を見るためには何回となく起き上がって様子を見なければならず、赤ちゃんを寝かせた後もゆっくり身体を休めることができなかった。
【０００５】
また、ベビーベッドでは、部屋に置いて使用していると、部屋の中に漂う目に見えない埃や、蚊等の虫や、部屋に入り込む隙間風やエアコンの風、或いは部屋に差し込む外の光や照明光等の悪影響を受けて、赤ちゃんが快適に過ごせない懸念がある。
【０００６】
【特許文献１】特開２００１−２５４２８号公報
【特許文献２】特開２００４−４１６２７号公報
【発明の開示】
【発明が解決しようとする課題】
【０００７】
本発明は上記のような点に鑑みて開発されたものである。その目的は、赤ちゃんの傍で添え寝しながらお母さんも起き上がることなく、横を向くだけで赤ちゃんの様子を見ることができ、かつ、寝かされた赤ちゃんにとって快適に過ごすことができる快適空間を確保することができるベビーフロアーガードを提供することにある。
【課題を解決するための手段】
【０００８】
本発明は上記した目的を有効に達成するために次のような構成にしてある。すなわち、請求項１に記載の本発明のベビーフロアーガードは、左右の側枠と後枠からなる三方囲い枠と、この三方囲い枠の上から被せて三方囲い枠内の内部空間を覆うカバーと、を備えてなることを特徴とする構成にしてある。
【０００９】
請求項２に記載の本発明のベビーフロアーガードは、請求項１に記載の本発明のベビーフロアーガードにおいて、対峙する左右の側枠の前側の上部に、カバー支持用の補助杆を架け渡して取り付けたことを特徴とする構成にしてある。
【発明の効果】
【００１０】
本発明のベビーフロアーガードによれば、三方囲い枠内に赤ちゃんを寝かせる布団等を敷いてその上に赤ちゃんを寝かせ、三方囲い枠の開放側の傍に添い寝するお母さんの布団を敷いて、お母さんが添い寝することにより、お母さんの顔を赤ちゃんの方に向けるだけで赤ちゃんの様子を見ることができ、またお母さんもゆっくり身体を休めることができる。さらに、床部材の上方の内部空間をカバーで覆うため、カバーによって埃除け、虫除け、エアコン等の風よけ、照明よけ等を行うことができて、床部材の上方にカバーで覆われた快適な内部空間を確保することができ、赤ちゃんは快適に過ごすことができる。
【００１１】
また、カバー支持用の補助杆を両側枠間の前部に架け渡して取り付けることによって、三方囲い枠の上からカバーを覆せた際に、カバーが両側枠間の中央付近で垂れ下がるのを補助杆で防ぎ、広い内部空間を確保でき、赤ちゃんは快適に過ごすことができる。
【発明を実施するための最良の形態】
【００１２】
以下、本発明を実施するための最良の形態を図に基いて説明する。
図１、図２は本発明にかかるベビーフロアーガードに関する図であって、図示のベビーフロアーガード１は、左右の側枠２、３と、後枠４と、床部材５と、カバー６と、１本のカバー支持用の補助杆７と、複数のボルト・ナット（図示せず）からなるものである。
【００１３】
左右の側枠２、３と後枠４は、平面視でコ字状にボルト・ナットで連結して三方囲い枠８を形成している。この三方囲い枠８の内側には、木材によってスノコ状に形成した床部材５が床１２に配される。床１２は、畳み或いはフローリング等の板材であってもよい。また、床部材５は、木材によってスノコ状に形成したものに限らず、布団、マット等であってもよい。
【００１４】
対峙する両側枠２、３の前側の各上部には、カバー支持用の補助杆７が両側枠２、３間に架け渡してボルト・ナットで取り付けてある。補助杆７は、この例では木製の角部材が使用されている。
【００１５】
三方囲い枠８および補助杆７の上からはカバー６を覆せる。すなわち、三方囲い枠８の内側で、床部材５の上方の内部空間９の外周に沿って覆うカバー６が、三方囲い枠８および補助杆７に支持させて取り付けてある。
【００１６】
上記のカバー６は、通気性のある目の細かいレース生地によって形成された上部カバー部１０と周囲カバー部１１とからなる。
【００１７】
上部カバー部１０は、平面視した場合の三方囲い枠８の大きさより少し大きい矩形状であり、三方囲い枠８および補助杆７の上から覆せた場合には、周囲カバー部１１の外側の上部に少し覆るようになる。
【００１８】
周囲カバー部１１は、床１２に着いて余る位の長さであり、三方囲い枠８の四方を覆うことができるものである。周囲カバー部１１の三方囲い枠８の開放側１３は、中央と両側で分離形成されていて、三方囲い枠８の開放側１３の上部に取り付けた直線状のカーテンレール（図示省略）に吊下げられて両側に開閉できるようにしてある。開放側１３の開閉する両カバー部１１ａは、両側に開いた際に束ねて紐やマジックテープ（登録商標）等の束ね部材１５で止めておけばよい。
【００１９】
上部カバー部１０と周囲カバー部１１とからなるカバー６は、三方囲い枠８の上面部と四方の外周面を確実に覆って内部空間９内への蚊や埃等の侵入を防止することができる。
【００２０】
なお、上部カバー部１０と周囲カバー部１１とは、図示の例では縫着して一体に形成してあるが、上部カバー部１０と周囲カバー部１１とをボタンやマジックテープ（登録商標）等で着脱できるようにしてもよい。
【００２１】
このように図示の例の本発明にかかるベビーフロアーガード１は、床１２の上に床部材５を載置し、この床部材５の三方を囲むようにして三方囲い枠８を床１２の上に載置し、三方囲い枠８の上からカバー６を覆せて内部の内部空間９を覆ってなる構成である。そして床１２の上に載置した床部材５の上に布団１６を敷いて赤ちゃんを寝かせ、両カバー部１１ａを閉じて赤ちゃんの寝かせている内部空間９を覆っておくことにより、埃除け、虫除け、エアコン等の風よけ、照明よけ等ができ、赤ちゃんを安心して寝かせておくことができる。また、赤ちゃんも快適に過ごすことができる。
【００２２】
また、上記のように床１２の上に床部材５を載置してその上に布団１６を敷いて赤ちゃんを寝かすことができ、この傍に布団１４を敷いて添い寝すれば、お母さんからも顔をベビーフロアーガード１側に向けるだけで、その都度起き上がることなく赤ちゃんの様子を見ることができ、お母さんもゆっくり身体を休めることができる。
【００２３】
なお、本発明は補助杆７を備えていないベビーフロアーガードであってもよい。このベビーフロアーガードの場合は、上部カバー部１０の外周縁寄りの周囲部分を少し厚めに形成して強度を持たせ、両側枠２，３間に架け渡したときに、上部カバー部１０が中央部付近で大きく撓むことのないようにしておくとよい。また、本発明のベビーフロアーガードの三方囲い枠８の下端部には、キャスターを取り付けて、三方囲い枠８を移動しやすいようにしてもよい。上記の補助杆７は、木製の棒でも、金属製や硬質樹脂製のパイプであってもよい。
【００２４】
勿論、本発明のベビーフロアーガードは、図示のような床部材５を備えていないものであってもよい。この場合のベビーフロアーガードは、三方囲い枠８とカバー６、または三方囲い枠８とカバー６とからなり、また、補助杆７を有する構成であってもよい。このベビーフロアーガードの詳細な構成は上記した図示の例の説明と同様であり説明を省略する。これらのベビーフロアーガードの場合は、三方囲い枠８内の床の部分に、自宅に有る布団やマット等を敷いて、その上に赤ちゃんを寝かせればよい。
【図面の簡単な説明】
【００２５】
【図１】本発明のベビーフロアーガードの斜視図である。
【図２】カバー６の周囲カバー部１１を開放し添え寝する布団を敷いた状態の説明図である。
【図３】カバー６の周囲カバー部１１を閉じた状態の説明図である。
【符号の説明】
【００２６】
１    ベビーフロアーガード
２    側枠
３    側枠
４    後枠
５    床部材
６    カバー
７    補助杆
８    三方囲い枠
【図１】
2006087780.tif 000003
【図２】
2006087780.tif 000004
【図３】
2006087780.tif 000005